(57)【特許請求の範囲】
【請求項１】
照明光源に発光素子を用いた直管型の照明装置であって、
前記発光素子を実装した光源基板と、
一対の端子ピンを通じて商用電源からの電力を供給する第１の口金と、
前記一対の端子ピンとは別の一対の端子ピンを短絡させる電線及び前記電線の中途部に介在したヒューズを有する第２の口金と、
前記第１の口金の一対の端子ピンを通じて前記商用電源から供給した電力を変更して前記光源基板に供給する電源基板と、
前記電源基板を保持する電源ホルダと、を備え、
前記第２の口金は、
口金係合部を有し、
前記光源基板は、
前記口金係合部と係合することにより前記光源基板の一端側を前記第２の口金で固定する一端側係合部を有し、
前記電源ホルダは、
ホルダ係合部を有し、
前記光源基板は、
前記ホルダ係合部と係合することにより前記光源基板の他端側を前記電源ホルダで固定する他端側係合部を有し、
前記口金係合部と、前記一端側係合部とは、前記口金係合部の有する弾性力により係合しており、前記口金係合部を弾性変形させることにより係合状態を解除可能であり、
前記第２の口金は、前記口金係合部と前記一端側係合部との係合状態を解除するための工具挿入穴を底壁に有する、照明装置。
【請求項２】
前記電源ホルダは、
前記光源基板よりも管外側で前記電源基板を保持する、請求項１に記載の照明装置。
【請求項３】
前記電源基板と前記電源ホルダとは、前記第１の口金の内部に収容されている、請求項１または２に記載の照明装置。
【請求項４】
前記第２の口金の一対の端子ピンは、
中途部分にフランジ部を有する有底円筒状に形成するとともに、前記フランジ部に少なくとも１つの角部を有する、
ことを特徴とする請求項１乃至３のいずれか１の請求項に記載の照明装置。
【請求項５】
前記第２の口金は、
前記電線を折り曲げた状態で前記ヒューズを収納しかつ前記ヒューズの位置変化を規制するように径方向に向けて突出した少なくとも２つのリブを有する、ことを特徴とする請求項１乃至請求項４のいずれか１の請求項に記載の照明装置。
【請求項６】
前記第１の口金は、
第１分割部と第２分割部とで組み付け可能に分割し、
前記第１分割部と前記第２分割部と前記電源ホルダとを固定部材で一体的に固定した、ことを特徴とする請求項１乃至請求項５のいずれか１の請求項に記載の照明装置。
【請求項７】
前記電源基板及び前記電源ホルダとは、
相互に固定するための対応する係止部位をそれぞれ有する、
ことを特徴とする請求項１乃至請求項６のいずれか１の請求項に記載の照明装置。
【請求項８】
前記電源基板は、
少なくとも一部を前記第１の口金の内部に収納した、
ことを特徴とする請求項１乃至請求項７のいずれか１の請求項に記載の照明装置。
【発明の詳細な説明】
【技術分野】
【０００１】
本発明は、照明光源に発光素子を用いた直管型の照明装置に関する。
【背景技術】
【０００２】
従来から、照明光源としての発光素子を用いた照明装置には、商用電源から供給した電力を変換する電源基板を搭載した直管型のものが既に知られている。
【０００３】
また、このような直管型の照明装置では、両端に口金を備えており、この口金から商用電源を供給するようにしている。一方、直管型の照明装置には、一方の口金は商用電源を供給する給電用とし、他方の口金は短絡した非給電用とした片側給電タイプのものも知られている（例えば、特許文献１参照）。この際、片側給電タイプの照明装置は、非給電用口金と光源基板の非給電側端部と透光性カバーとをネジにより組み付けている。
【先行技術文献】
【特許文献】
【０００４】
【特許文献１】特開２０１２−０８４３２３号公報
【発明の概要】
【発明が解決しようとする課題】
【０００５】
しかしながら、上述した片側給電タイプの照明装置にあっては、非給電用口金と光源基板の非給電側端部と透光性カバーとをネジにより組み付ける構成を採用しているため、光源基板の管軸に沿って長尺な縁部を透光性カバー等で支持するなどの組み付け構造が複雑化するうえ、管軸に沿って長尺な光源基板及び透光性カバーを含む３つ以上の部材を同時に組み付ける作業が煩雑化するという問題が発生する。
【０００６】
本発明は、上述のような課題を解決するために、組み付け構造の簡素化並びに組み付け作業の容易化に貢献することができる照明装置を提供することを目的とする。
【課題を解決するための手段】
【０００７】
本発明に係る照明装置は、上記目的の達成のため、照明光源に発光素子を用いた直管型の照明装置であって、発光素子を実装した光源基板と、一対の端子ピンを通じて商用電源からの電力を供給する第１の口金と、一対の端子ピンとは別の一対の端子ピンを短絡させる電線及び電線の中途部に介在したヒューズを有する第２の口金と、第１の口金の一対の端子ピンを通じて商用電源から供給した電力を変更して光源基板に供給する電源基板と、を備え、第２の口金は、口金係合部を有し、光源基板は、口金係合部と係合することにより光源基板の一端側を第２の口金で固定する一端側係合部を有する、ものである。
【発明の効果】
【０００８】
本発明によれば、第２の口金と光源基板の一端側とを口金係合部及び一端側係合部の係合により第２の口金に固定することにより、組み付け構造の簡素化並びに組み付け作業の容易化に貢献することができる。
【図面の簡単な説明】
【０００９】
【図１】本発明の一実施の形態に係る照明装置の正面図である。
【図２】本発明の一実施の形態に係る照明装置に適用される管体の断面図である。
【図３】本発明の一実施の形態に係る照明装置に適用される照明装置を示し、（Ａ）は給電側口金部を含む要部の拡大正面図、（Ｂ）は照明装置の給電側口金部の側面図である。
【図４】本発明の一実施の形態に係る照明装置に適用される給電側口金部の管軸方向と直行する縦断面図である。
【図５】本発明の一実施の形態に係る照明装置に適用される給電側口金部の管軸方向に沿う横断面図である。
【図６】本発明の一実施の形態に係る照明装置に適用される給電側口金部の要部の正面図である。
【図７】本発明の一実施の形態に係る照明装置に適用される電源ホルダの正面図である。
【図８】本発明の一実施の形態に係る照明装置に適用される電源ホルダの側面図である。
【図９】本発明の一実施の形態に係る照明装置に適用される電源ホルダの底面図である。
【図１０】本発明の一実施の形態に係る照明装置に適用される電源ホルダの横断面図である。
【図１１】本発明の一実施の形態に係る照明装置に適用される他の電源ホルダの正面図である。
【図１２】本発明の一実施の形態に係る照明装置に適用される他の電源ホルダの横断面図である。
【図１３】本発明の一実施の形態に係る照明装置に適用される照明装置を示し、（Ａ）は短絡側口金部を含む要部の拡大正面図、（Ｂ）は照明装置の短絡側口金部の側面図である。
【図１４】本発明の一実施の形態に係る照明装置に適用される短絡側口金部の管軸方向と直行する縦断面図である。
【図１５】本発明の一実施の形態に係る照明装置に適用される短絡側口金部の管軸方向に沿う横断面図である。
【図１６】本発明の一実施の形態に係る照明装置に適用される短絡側口金部の端子ピンの正面図である。
【発明を実施するための形態】
【００１０】
次に、本発明に係る一実施の形態について図面を参照して説明する。
【００１１】
本実施の形態として示す照明装置は、照明光源に発光素子を用いた直管型の照明装置に適用したものである。なお、以下の説明において、図１に示した状態は、照明装置１として図示しない家屋の天井等に設置して床側から見上げたときとは逆の状態であり、この正面とする。したがって、図２以降の図示状態においても、説明の便宜上、この天井設置状態とは天地逆に図示している。また、以下の説明では、照明装置１の軸線方向に沿う両端のうち、一端側を「短絡側」、他端側を「給電側」とも称する。また、照明装置１の軸線方向に沿って端部に接近する方向を「管外側」、逆に端部から離間する方向を「管内側」とも称する。
【００１２】
図１に示すように、照明装置１は、複数の発光素子２を実装した光源基板３を収納した管体４と、一対の端子ピン１１を通じて商用電源からの電力を供給する第１の口金としての給電側口金１０と、一対の端子ピン１１とは別の一対の端子ピン２１を短絡させる第２の口金としての短絡側口金２０と、給電側口金１０の一対の端子ピン１１を通じて商用電源から供給した電力を変更して光源基板３に供給する電源基板５と、を備える。
【００１３】
なお、図１において、発光素子２は、光源基板３の両端付近の一部のみを図示しており、実際には光源基板３の略全長に跨って隣接して実装している。本実施の形態において、発光素子２には、面発光型のＬＥＤ素子を用いている。
【００１４】
図２に示すように、管体４は、断面略真円形状の円柱体であり、無色若しくは有色透明な樹脂材料（例えば、乳白色のアクリル樹脂）で形成している。管体４は、内壁面から管軸Ｑに向かって突出する基板支持突起４ａ，４ｂを一体に有する。基板支持突起４ａ，４ｂは、管軸Ｑに沿って管体４の全長に跨って形成している。したがって、管体４は、押出成形による一体成型品であるが、例えば、図示上下で半割構造とする射出成形品でもよい。基板支持突起４ａ，４ｂは、管軸Ｑを通りかつ端子ピン１１（２１）で挟む線分Ｐに対して図示左右で対称に形成している。
【００１５】
図３に示すように、給電側口金１０は、第１分割部としての口金本体１２と第２分割部としてのカバー１３とを組み付け可能に分割しており、これら口金本体１２とカバー１３とで一対の端子ピン１１を挟持している。また、図４及び図５に示すように、給電側口金１０は、内部に電源基板５を保持するための電源ホルダ１４を備える。給電側口金１０は、図５に示すように、電源回路ユニット６を実装した電源基板５の全体を内部に収納した状態で電源ホルダ１４を保持している。給電側口金１０は、電源ホルダ１４の管外側端部に形成した固定舌片１４１を口金本体１２とカバー１３とで挟持するとともに、カバー１３に形成したネジ穴１３ａから挿通した固定部材としてのネジ７により電源ホルダ１４の固定舌片１４１を固定している。これにより、口金本体１２とカバー１３と電源ホルダ１４とが一体的に固定することができる。
【００１６】
なお、電源基板５と電源回路ユニット６とを給電側口金１０の内部に収納することにより、管体４の内部に電源基板５及び電源回路ユニット６を位置させないようにすることができる。換言すれば、光源基板３に実装した発光素子２を管体４の両端付近にまで配置することができ、管体４の全長において見掛け上の暗部を少なくすることができる。すなわち、電源基板５と電源回路ユニット６とが管体４の管内側に突出した状態であると、その部分には発光素子２を配置することができない。これにより、発光素子２を点灯させた際に、外部から管体４を見たとき、管体４の端部が暗く見えてしまう。
【００１７】
このような管体４の端部が見掛け上で暗く見えてしまうと、従前の蛍光灯のように、経年劣化の目安と勘違いしてしまう虞がある。したがって、電源基板５と電源回路ユニット６とは、できるだけ給電側口金１０の内部に収納するのが好ましい。
【００１８】
図４及び図５に示すように、口金本体１２の管内側の端部には、管体４の端部を突き当て状態で外周面と内周面とに接触する外筒１２ａと内筒１２ｂとを形成している。なお、内筒１２ｂは、その一部を周方向に切り欠いており、管体４の基板支持突起４ａ，４ｂが位置するようになっている。口金本体１２の内面には、電源ホルダ１４の上面及び底面を支持するように支持片１２ｃ，１２ｄを突出させている。
【００１９】
図６〜図１０に示すように、電源ホルダ１４は、固定舌片１４１を管外側に向けて突出形成した管外側縦壁面１４２と、底壁面１４３と、底壁面１４３の管内側の側縁部から立ち上がる一対の内側壁１４４と、底壁面１４３の管外側の側縁部から立ち上がる一対の外側壁１４５と、を一体に形成しており、正面及び管内側に向けて開放している。
【００２０】
固定舌片１４１は、管外側縦壁面１４２の中途部から管外側に向けて突出しており、ネジ７が貫通する貫通穴１４１ａを形成している。なお、貫通穴１４１ａは、ネジ７と螺合する雌ネジ穴とする必要はなく、ネジ溝が形成されていない穴でも良い。
【００２１】
管外側縦壁面１４２は、電源基板５の管外側端部付近の上面と当接する当接爪１４２ａを一体に有する。本実施の形態では、一対の当接爪１４２ａとしているが、その数や幅等は特に限定されるものではない。
【００２２】
底壁面１４３は、その管内側端部付近から光源基板３の他端側である給電側の端部に形成した穴状の給電側係合部３ｂと係合する他端側係合部としてのホルダ係合部１４３ａを有する。このホルダ係合部１４３ａは、給電側係合部３ｂと係合することにより、光源基板３の給電側の端部を給電側口金１０よりも管体４の内部側で固定することができる。すなわち、光源基板３の他端側である給電側の端部は、給電側口金１０の内部ではなく管体４の内部において電源ホルダ１４で保持することができる。このため、光源基板３の給電側の端部を電源ホルダ１４で保持させる際、目視が容易な給電側口金１０の外側で保持作業を容易に行うことができる。
【００２３】
内側壁１４４は、その上端面１４４ａで電源基板５の管内側端部付近の下面を支持するように高さ設定している。
【００２４】
外側壁１４５は、電源基板５の中央付近両側縁部分の上面と当接するガイド片１４５ａと、電源基板５の管外側端部付近の下面と当接して当接爪１４２ａと協働して電源基板５を支持する下面支持部１４５ｂと、電源基板５の管外側端部付近の両側縁部に形成した切り込み状の係止凹部５ａ（図５にのみ図示）と弾発係合する係止凸部１４５ｃと、上端から側方に突出したフランジ１４５ｄと、を一体に形成している。したがって、係止凹部５ａと係止凸部１４５ｃとは、電源基板５及び電源基板５を保持する電源ホルダ１４とを相互に固定するための対応する係止部位を構成している。また、フランジ１４５ｄの上端面は支持片１２ｃと当接する。
【００２５】
なお、図１１及び図１２に示すように、電源ホルダ１４は、例えば、ガイド片１４５ａを廃止するなど、上記実施の形態に限定されるものではない。また、ガイド片１４５ａを廃止した場合、例えば、下面支持部１４５ｂの基板挿入始端側の角部にガイド用の面取り１４５ｅを形成してもよい。
【００２６】
図１３に示すように、短絡側口金２０は、一対の端子ピン２１をインサート成形した有底円筒状に形成している。
【００２７】
図１４及び図１５に示すように、短絡側口金２０は、内部に端子ピン２１の管内側端部と接続端子２２及びネジ２３を介して電線２４を接続している。電線２４の中途部にはヒューズ２５を介在している。これにより、ヒューズ２５は、電線２４および接続端子２２を介して短絡側口金２０の一対の端子ピン２１のそれぞれに形成したネジ孔（図示せず）と螺合するネジ２３により短絡側口金２０の一対の端子ピン２１に固定されており、短絡側口金２０を電気的に短絡させている。短絡側口金２０の管内側の端部には、管体４の端部を突き当て状態で外周面と内周面とに接触する外筒２０ａと内筒２０ｂとを形成している。短絡側口金２０は、電線２４を折り曲げた状態でヒューズ２５を収納しかつヒューズ２５と当接して管軸Ｑに沿う方向の位置変化を規制するように径方向に向けて突出した少なくとも２つのリブ２０ｃを有する。短絡側口金２０は、光源基板３の一端側である短絡側の端部に形成した穴状の短絡側係合部３ａと係合する口金係合部２０ｄを有する。口金係合部２０ｄは、短絡側係合部３ａに対して弾発係合するように傾斜するとともに弾性を有する。短絡側口金２０は、底壁２０ｅに開口２０ｆを形成している。開口２０ｆは、口金係合部２０ｄによる短絡側係合部３ａとの係合状態を外部から確認するのぞき窓としての機能と口金係合部２０ｄによる短絡側係合部３ａとの係合状態を解除するための工具挿入穴としての機能とを兼用している。
【００２８】
なお、内筒２０ｂは、その一部を周方向に切り欠いており、管体４の基板支持突起４ａ，４ｂが位置するようになっている。本実施の形態では、図１４に示すように、光源基板３は、基板ホルダ８を介して基板支持突起４ａ，４ｂに支持されている。
【００２９】
基板ホルダ８は、樹脂の押出成形により長尺に形成されており、光源基板３の管軸Ｑに沿う縁部及び発光素子２の実装面とは逆側の裏面を支持している。なお、基板ホルダ８は、樹脂である必要はなく、例えば、アルミ等の金属によりヒートシンク機能を兼用したホルダとしてもよい。また、基板ホルダ８の内部に、アルミ等の金属からなる板状のヒートシンク部材９を別途少なくとも一部に配置してもよい。基板ホルダ８は、管体４の内壁と基板支持突起４ａの付け根部分との境界付近と係合する外向きのフランジ８ａを一体に有している。
【００３０】
図１６に示すように、一対の端子ピン２１は、短絡側口金２０の底壁２０ｅから突出するピン本体２１ａと、底壁２０ｅの内面から突出する座２０ｇに埋設した基部２１ｂとを一体に有する。なお、端子ピン２１は、ピン本体２１ａの先端側を有底円筒状に形成している。
【００３１】
基部２１ｂは、大径部２１ｃと小径部２１ｄとを交互に形成している。この径の差により、端子ピン２１は、基部２１ｂに対する軸線方向の抜け止めとしている。大径部２１ｃには、端子ピン２１の中途部分としてのフランジ部として機能している。管内側の大径部２１ｃには、少なくとも１つの角部を有する。本実施の形態では、大径部２１ｃの一部に面取り部２１ｅを形成して断面Ｄ型とすることで角部を形成している。なお、角部は、例えば、大径部２１ｃの表面にローレット加工やスプライン加工を施すことによって形成してもよい。これにより、一対の端子ピン２１は、短絡側口金２０に対して軸線を中心とするラジアル方向の回転を規制することができる。
【００３２】
このような基本構成において、本実施の形態に係る照明装置１は、発光素子２を実装した光源基板３と、一対の端子ピン１１を通じて商用電源からの電力を供給する第１の口金としての給電側口金１０と、一対の端子ピン１１とは別の一対の端子ピン２１を短絡させる電線２４及び電線２４の中途部に介在したヒューズ２５を有する第２の口金としての短絡側口金２０と、給電側口金１０の一対の端子ピン１１を通じて商用電源から供給した電力を変更して光源基板３に供給する電源基板５と、を備え、短絡側口金２０は、口金係合部２０ｄを有し、光源基板３は、口金係合部２０ｄと係合して光源基板３の一端側を短絡側口金２０で固定する短絡側係合部３ａを有することにより、組み付け構造の簡素化並びに組み付け作業の容易化に貢献することにある。
【００３３】
次に、本実施の形態に係る照明装置１の組み付け手順を説明する。上記の構成において、管体４の内部に基板ホルダ８を介して光源基板３を挿入し、基板支持突起４ａ，４ｂに光源基板３を支持させる。
【００３４】
この後、予め組み付け状態の短絡側口金２０に光源基板３の短絡側を保持させる。具体的には、管体４の端部を外筒２０ａと内筒２０ｂとの間に挿入しつつ、光源基板３の短絡側係合部３ａを、口金係合部２０ｄに係合させる。これにより、管体４の短絡側の端部と光源基板３の短絡側の端部とが短絡側口金２０に保持される。
【００３５】
一方、予め組み付け状態の給電側口金１０に光源基板３の給電側を保持させる。具体的には、管体４の端部を外筒１２ａと内筒１２ｂとの間に挿入しつつ、光源基板３の給電側係合部３ｂを、電源ホルダ１４のホルダ係合部１４３ａに係合させる。これにより、管体４の給電側の端部が給電側口金１０に保持されると同時に、光源基板３の給電側の端部が電源ホルダ１４を介して給電側口金１０に保持される。
【００３６】
本発明は、その趣旨を逸脱しない範囲内において、種々の変更が加えられて実施されるものである。
【００３７】
例えば、上記実施の形態で開示した光源の他に、例えば、レーザーダイオードや有機発光ダイオードなどを利用することができ、光源の種類は特に限定されるものではない。
【００３８】
以上説明したように、本発明に係る照明装置は、組み付け構造の簡素化並びに組み付け作業の容易化に貢献するという効果を有し、照明光源に発光素子を用いた直管型の照明装置全般、特に、片側給電タイプの直管型の照明装置全般に有用である。
【符号の説明】
【００３９】
１  照明装置
２  発光素子
３  光源基板
３ａ  短絡側係合部（一端側係合部）
３ｂ  給電側係合部（他端側係合部）
５  電源基板
１０  給電側口金（第１の口金）
１１  端子ピン
１４  電源ホルダ
１４３ａ  ホルダ係合部
２１  端子ピン
２４  電線
２５  ヒューズ
２０  短絡側口金（第２の口金）
２０ｄ  口金係合部
【図１】
0006706440.tif 000002
【図２】
0006706440.tif 000003
【図３】
0006706440.tif 000004
【図４】
0006706440.tif 000005
【図５】
0006706440.tif 000006
【図６】
0006706440.tif 000007
【図７】
0006706440.tif 000008
【図８】
0006706440.tif 000009
【図９】
0006706440.tif 000010
【図１０】
0006706440.tif 000011
【図１１】
0006706440.tif 000012
【図１２】
0006706440.tif 000013
【図１３】
0006706440.tif 000014
【図１４】
0006706440.tif 000015
【図１５】
0006706440.tif 000016
【図１６】
0006706440.tif 000017